(57)【要約】【課題】意匠性を損わずに外デッキカバーの上面から物体が落下することを防止して物体落下時に注意を促すことができ、安全性を向上させることが可能な乗客コンベアを提供する。【解決手段】この乗客コンベアの汎用例のエスカレータでは、乗降口間を循環して移動する移動手摺２の幅方向外側に設けられた外デッキカバー３の傾斜部４の上面から物体６が落下するのを防止する落下防止穴４ａがカバー３に対して所定間隔で上面を開口した凹部として設けられ、穴４ａの内部に物体６が入り込んだ状態を凹部の壁部の所定箇所で対向するように配備された検出装置の投光器１１及び受光器１２が検出すると、カバー３が組み付けられる相手部材内に配備された制御装置５が物体６を落とした利用者に注意を促す指示制御を行い、これを受けて警告ランプ１４が点灯して利用者に警告し、且つ音声装置１３から警告音声信号を受けたスピーカ１５が警告音声を発声する。【選択図】図２
2017109808.tif 000002
【特許請求の範囲】
【請求項１】
乗降口間を循環して移動する移動手摺と、前記移動手摺の幅方向外側に設けられた外デッキカバーと、を備え、更に、前記外デッキカバーの所定箇所には、当該外デッキカバーの上面から物体が落下するのを防止する落下防止穴が設けられた乗客コンベアにおいて、
前記落下防止穴の内部に前記物体が入り込んだ状態を検出する検出手段と、前記検出手段により前記落下防止穴の内部に前記物体が入り込んだ状態が検出されたときに当該落下防止穴に当該物体を落とした利用者に注意を促す指示制御を行う制御手段と、前記制御手段による前記指示制御を受けて前記物体を落とした利用者に注意を促す報知を行う報知手段と、を備えたことを特徴とする乗客コンベア。
【請求項２】
請求項１記載の乗客コンベアにおいて、
前記検出手段は、前記落下防止穴の壁部における所定箇所で対向するように配備されると共に、検出用ビームを投光する投光器と当該投光器から投光される当該検出用ビームが入射されて受光する受光器とから成り、
前記報知手段は、前記落下防止穴の内部に前記物体が入り込んで前記検出手段により前記投光器から投光される前記検出用ビームが前記受光器で遮光された状態において、前記制御手段による前記指示制御を受けて警告音声信号を出力する音声装置と、前記警告音声信号を受けて音声を発生するスピーカと、を含むことを特徴とする乗客コンベア。
【請求項３】
請求項１又は２記載の乗客コンベアにおいて、
前記報知手段は、前記制御手段による前記指示制御を受けて点灯して前記物体を落とした前記利用者に警告する警告ランプを含むことを特徴とする乗客コンベア。
【請求項４】
請求項３記載の乗客コンベアにおいて、
前記落下防止穴は、前記外デッキカバーの所定箇所に対して所定の間隔で上面を開口した凹部として複数設けられており、
前記警告ランプは、前記複数の落下防止穴の内部で前記投光器及び前記受光器の対向部分を避けた箇所にそれぞれ配備され、
前記投光器及び前記受光器は、前記凹部の対向する壁部に前記複数の落下防止穴毎に配備されたことを特徴とする乗客コンベア。
【発明の詳細な説明】
【技術分野】
【０００１】
本発明は、移動手摺に沿った外デッキカバーの上面から手荷物等の物体の落下を防ぐ手段を備えたエスカレータや動く歩道に代表される乗客コンベアに関する。
【背景技術】
【０００２】
従来、この種の乗客コンベアは、基本構造として、互いに連結されて循環して移動する踏段と、踏段の両側に取り付けられると共に、踏段と連動して循環して移動する移動手摺と、移動手摺の踏段側とは反対側に離間して取り付けられると共に、長手方向が移動手摺に沿い、且つ短手方向が水平方向を指向した平板部（エスカレータの場合には傾斜部を示す）を有する外デッキカバーと、を備えている。
【０００３】
このような乗客コンベアでは、外デッキカバーの上面から利用者（一般には乗客を示す）の所持する手荷物等の物体が落下することを防ぐ手段を持たせる技術も提案されている。これに関連する周知技術として、例えばアウターデッキ（外デッキカバー）の平板部（傾斜部）の上面を異物が下降することを防止すると共に、通常は突出手段が平板部（傾斜部）よりも下側に収納されていることで意匠性を向上させることができる「乗客コンベア」（特許文献１参照）が挙げられる。
【先行技術文献】
【特許文献】
【０００４】
【特許文献１】特開２０１０‐１６８１８７号公報
【発明の概要】
【発明が解決しようとする課題】
【０００５】
上述した特許文献１に係る技術は、アウターデッキ（外デッキカバー）の平板部（傾斜部）に形成された第１の開口部を通って平板部（傾斜部）よりも上方へ突出可能な突出手段が通常は平板部（傾斜部）よりも下側に収納され、異物検出手段が異物を検出したときに平板部（傾斜部）の上面よりも上方へ突出して異物が突出手段に衝突することで平板部（傾斜部）の上面から異物が落下・下降するのを或る程度効果的に防止することができるものの、実用上では外デッキカバーに設けた第１の開口部内に突出手段としての箱が入っており、細い隙間等があるために決して意匠性が向上するものではなく、しかも動作上で箱が突出する際に手荷物等の異物を落とした利用者が急いで拾おうするときに手に当たったり、或いは手や指が隙間に挟まれる等の危険性があるため、安全性についても十分な配慮が払われていないという問題がある。
【０００６】
本発明は、このような問題点を解決すべくなされたもので、その技術的課題は、意匠性を損わずに外デッキカバーの上面から物体が落下することを防止して物体落下時に注意を促すことができると共に、安全性を向上させることが可能な乗客コンベアを提供するものである。
【課題を解決するための手段】
【０００７】
上記技術的課題を達成するため、本発明に係る第１の手段は、乗降口間を循環して移動する移動手摺と、移動手摺の幅方向外側に設けられた外デッキカバーと、を備え、更に、外デッキカバーの所定箇所には、当該外デッキカバーの上面から物体が落下するのを防止する落下防止穴が設けられた乗客コンベアにおいて、落下防止穴の内部に物体が入り込んだ状態を検出する検出手段と、検出手段により落下防止穴の内部に物体が入り込んだ状態が検出されたときに当該落下防止穴に当該物体を落とした利用者に注意を促す指示制御を行う制御手段と、制御手段による指示制御を受けて物体を落とした利用者に注意を促す報知を行う報知手段と、を備えたことを特徴とする。
【発明の効果】
【０００８】
本発明によれば、上記構成により、意匠性を損わず外デッキカバーの上面から物体が落下することを防止して物体落下時に注意を促すことができると共に、安全性を向上させることが可能になる。上記した以外の課題、構成及び効果は、以下の実施の形態の説明により明らかにされる。
【図面の簡単な説明】
【０００９】
【図１】本発明の乗客コンベアの実施例に係るエスカレータの外観構成を示す斜視図である。
【図２】図１に示すエスカレータの内部構造を落下防止穴に物体が入り込んだ状態として示すＡ−Ａ線矢視方向に沿った断面図である。
【発明を実施するための形態】
【００１０】
以下に、本発明の乗客コンベアについて、実施例を挙げ、図面を参照して詳細に説明する。
【実施例】
【００１１】
図１は、本発明の乗客コンベアの実施例に係るエスカレータの外観構成を示す斜視図である。
【００１２】
図１を参照すれば、このエスカレータは、建物の建屋壁１７に沿って配備されるもので、外観構成上での周知構造として、互いに連結されて循環して建物の階床間における乗降口間を移動する傾斜部分を含む踏段１と、踏段１の両側に取り付けられると共に、踏段１と連動して循環して乗降口間を移動する傾斜部分を含む移動手摺２と、移動手摺２の踏段１側とは反対側に離間して取り付けられると共に、長手方向が移動手摺２に沿い、且つ短手方向が移動手摺２の傾斜部分を指向した傾斜部４を有する外デッキカバー３と、を備え、外デッキカバー３の傾斜部４の所定箇所には所定の間隔で上面を開口した凹部として落下防止穴４が複数設けられている。
【００１３】
図２は、このエスカレータの内部構造を落下防止穴４ａに物体６が入り込んだ状態として示す図１中のＡ−Ａ線矢視方向に沿った断面図である。
【００１４】
図２を参照すれば、このエスカレータの内部構造では、周知な細部構造として、移動手摺２が支持部材７を介して移動手摺２に沿って延びたデッキボード８に支持されている。また、デッキボード８の踏段１側であってその下側には、移動手摺２に沿って延びた内側板９が取り付けられている。更に、内側板９の下端部には、踏段１の側面に対向した内デッキカバー１０が取り付けられている。因みに、上述した外デッキカバー３は、構造上で移動手摺２の幅方向外側に設けられると共に、一端部がデッキボード８の踏段１側とは反対側であって、デッキボード８の踏段１から離間した側の下側に配置されている。
【００１５】
その他、実施例に係るエスカレータでは、外デッキカバー３の傾斜部４の各落下防止穴４ａの内部に物体６が入り込んだ状態を検出する検出手段として、落下防止穴４ａの凹部の壁部における所定箇所で対向するように配備されると共に、検出用ビームを投光する投光器１１とこの投光器１１から投光される検出用ビームが入射されて受光する受光器１２とが各落下防止穴４ａ毎に配備されている。ここでの投光器１１及び受光器１２は、検出用ビームとして、汎用的な可視光による可視光ビームを用いることが可能である他、赤外線ビームを用いることも可能である。何れにしても、検出手段は各落下防止穴４ａの内部に物体６が入り込んだ状態を廉価にして適確に検出できる検出装置として機能すれば良いものである。
【００１６】
また、実施例に係るエスカレータでは、各落下防止穴４ａの内部で凹部の対向する壁部に各落下防止穴４ａ毎に配備された投光器１１及び受光器１２による検出装置の検出機能により落下防止穴４ａの内部に物体６が入り込んだ状態が検出されたときにその落下防止穴４ａに物体６を落とした利用者に注意を促す指示制御を行う制御手段としての制御装置５と、制御装置５による指示制御を受けて物体６を落とした利用者に注意を促す報知を行う報知手段の主要部と、が内デッキカバー１０の内部に配備されている。ここでの報知手段は、落下防止穴４ａの内部に物体６が入り込んで検出装置により投光器１１から投光される検出用ビームが受光器１２で遮光された状態において、内デッキカバー１０の内部に配備されると共に、制御装置５による指示制御を受けて警告音声信号を出力する音声装置１３、並びに警告音声信号を受けて警告音声を発声するスピーカ１５による放送設備と、各落下防止穴４ａの内部で投光器１１及び受光器１２の対向部分を避けた凹部の底面箇所にそれぞれ配備されると共に、制御装置５による指示制御を受けて点灯して物体６を落とした利用者に警告する警告ランプ１４と、を備えて構成される。
【００１７】
因みに、実施例に係るエスカレータでは、検出装置の投光器１１及び受光器１２、音声装置１３、警告ランプ１４は、何れも配線１６により制御装置５と接続されており、音声装置１３については配線１６により所定台数のスピーカ１５と個別に接続されている。このうち、制御装置５との間で接続される投光器１１、受光器１２、及び警告ランプ１４に係る配線１６は、内デッキカバー１０の内部の床側から内側板９の内部側へと高さ方向に延在して配備され、音声装置１３との間で接続されるスピーカ１５に係る配線１６は、内デッキカバー１０の内部で移動手摺２の幅方向に延在して配備されている。放送設備となる音声装置１３及びスピーカ１５は、利用者が荷物等の物体６を落とした場合に注意を促す報知を行うもので、基本構成上、エスカレータの上階寄り箇所と下階寄りの箇所との２箇所に配置されているものとする。放送設備での注意を促す報知は、警告に係るメッセージをアナウンスすることが好ましいが、その他に警告ブザー等を適用することも可能である。放送設備の数はエスカレータの大きさによって任意に設定されれば良いもので２台に限定されるものでなく、その他の台数であって良く、小さいエスカレータの場合には１台であっても良い。何れにしても、報知手段としての放送設備や警告ランプ１４は何れか一方が設けられても良く、既存の廉価な機器を適用できるので、両方を備える構成としてもコスト上では割安である。また、警告ランプ１４は各落下防止穴４ａの内部で投光器１１及び受光器１２の対向部分の検出領域を避けた凹部の底部に設けられるため、配備を簡単に行うことができる。
【００１８】
このエスカレータでは、外デッキカバー３の傾斜部４に設けられた落下防止穴４ａの凹部における壁部の上側に検出装置の投光器１１及び受光器１２が対向して取り付けられている。そこで、利用者（一般には乗客を示す）が所持する手荷物等の物体６がエスカレータの移動手摺２に載せられた状態で利用者及び物体６が乗降口間を移動する場合を想定すると、物体６が移動手摺２から外デッキカバー３に突出した状態となる。こうした状態で外デッキカバー３の傾斜部４上に物体６が落とされるか、或いはスライド下降して落下防止穴４ａに入ると、投光器１１から投光された検出用ビームが遮光されて受光器１２の受光状態に大きな変化が現われて落下防止穴４ａの内部に物体６が入り込んだ状態を検出することができる。
【００１９】
そこで、落下防止穴４ａの内部に物体６が入り込んだ状態が検出されたとき、制御装置５は、落下防止穴４ａに物体６を落とした利用者に注意を促す指示制御を行う。この際、放送設備では、制御装置５が音声装置１３に指示制御して警告音声信号を出力させ、スピーカ１５が警告音声信号を受けて警告の旨のメッセージの音声を発声することで利用者に注意を促す報知を行う。また、制御装置５は同時に警告ランプ１４に指示制御して警告ランプ１４を点灯させて利用者に注意を促す報知を行う。因みに、注意を促す利用者は、原則として、物体６を落とした利用者を想定しているが、エスカレータの利用状況により周囲に他の利用者がいる場合にはその周囲の利用者も注視することができるため、こうした場合には仮に物体６を落とした利用者が警告に気付かなかったり、或いは警告を無視をしても周囲の利用者が注意して対処を促すことを期待できる。因みに、放送設備の音声装置１３は、警告音声信号を出力してスピーカ１５から警告の旨のメッセージの音声を発声する以外、単純にブザー等で警笛する場合等の単純な音発生機能を含んでいるものとする。
【００２０】
以上に説明したように、実施例に係るエスカレータによれば、外デッキカバー３の傾斜部４の上面から物体６が落下するのを防止する落下防止穴４ａが外デッキカバー３に対して所定間隔で上面を開口した凹部として設けられ、落下防止穴４ａの内部に物体６が入り込んだ状態をその壁部における所定箇所で対向するように配備された検出装置の投光器１１及び受光器１２が検出すると、制御装置５が物体６を落とした利用者に注意を促す指示制御を行い、これを受けて警告ランプ１４が点灯して利用者に警告すると共に、音声装置１３から警告音声信号を受けたスピーカ１５が警告音声を発声することができる。この結果、意匠性を損わず外デッキカバー３の上面から物体６が落下することを防止して物体６の落下時に注意を促すことができると共に、安全性を向上させることが可能になる。また、安全性の向上については、通常時は外デッキカバー３の傾斜部４に設けられた落下防止穴４ａの凹部が小さな隙間や突出部分を持たないため、物体６を落とした利用者が急いで拾おうとした場合に手に当たったり、或いは手が隙間に挟まれる等の危険性がなく、こうした事情によって安全性が充分に確保されるようになっている。
【００２１】
尚、実施例では乗客コンベアの一例としてエスカレータを説明したが、踏段１の中途箇所が傾斜した階段状を成さずに平坦状態が維持される構造の動く歩道を対象にしても、同様に物体６の落下検出機能及び報知警告機能を適用させることが可能である。また、実施例で説明した外デッキカバー３に設けた落下防止穴４ａの開口形状は、種々変更することが可能である。更に、実施例での放送設備は、制御装置５と共に内デッキカバー１０の内部に配備される形態として説明したが、これ以外にも例えば制御装置５との間で相互に無線通信を行う無線通信機能を持たせれば、エスカレータの設備される建屋の天井等の他の場所に設備して配線１６を削減することも可能である。このように、本発明の乗客コンベアは、様々な実施の形態として変更可能であるため、実施例で説明したエスカレータの形態に限定されない。
【符号の説明】
【００２２】
１  踏段
２  移動手摺
３  外デッキカバー
４  傾斜部
４ａ  落下防止穴
５  制御装置
６  物体
７  支持部材
８  デッキボード
９  内側板
１０  内デッキカバー
１１  投光器
１２  受光器
１３  音声装置
１４  警告ランプ
１５  スピーカ
１６  配線
１７  建屋壁
【図１】
2017109808.tif 000003
【図２】
2017109808.tif 000004